(57)【要約】      （修正有）【課題】グリル庫内にバーナカバーの上面を覆うカバー板の装着作業性を向上させること。【解決手段】グリルは、下火バーナ６を覆うようにしてグリル庫１の横方向各側の側壁から横方向内方に張出すバーナカバー１５と、グリル庫１内にバーナカバー１５の上面を覆うようにして着脱自在に装着されるカバー板１６とを備えている。カバー板１６の側板部１６２の前縁上部に、前方にのびる舌片部１６４を設けると共に、グリル庫１の前端部に、舌片部１６４のグリル庫内方を向く内側面に下方から係合する爪部１７を設ける。【選択図】図３
2020188851.tif 000002
【特許請求の範囲】
【請求項１】
前面が開放されたグリル庫と、グリル庫の横側部に配設されたバーナと、バーナを上方から覆うようにグリル庫の側壁から横方向内方に張出すバーナカバーと、グリル庫内にバーナカバーの上面を覆うようにして着脱自在に装着されるカバー板とを備えるグリルであって、
カバー板は、バーナカバーに載置される載置板部と、載置板部の横方向外側縁からグリル庫の側壁を覆うようにして上方にのびる側板部とを有し、
バーナカバーの後部に、上方に隆起する第１隆起部が形成されると共に、カバー板の載置板部の後部に、第１隆起部に係合するように上方に隆起する第２隆起部が形成されるものにおいて、
カバー板の側板部の前縁上部に、前方にのびる舌片部が設けられ、グリル庫の前端部に、舌片部のグリル庫内方を向く内側面に下方から係合する爪部が設けられることを特徴とするグリル。
【請求項２】
前記舌片部の前記爪部が係合する部分に、前記内側面側とは反対の外側に窪んだ凹部が形成され、爪部が、舌片部の凹部以外の部分よりも外側に位置して、凹部の内側面に係合することを特徴とする請求項１記載のグリル。
【発明の詳細な説明】
【技術分野】
【０００１】
本発明は、前面が開放されたグリル庫と、グリル庫の横側部に配設されたバーナと、バーナを上方から覆うようにグリル庫の側壁から横方向内方に張出すバーナカバーと、グリル庫内にバーナカバーの上面を覆うようにして着脱自在に装着されるカバー板とを備えるグリルに関する。
【背景技術】
【０００２】
この種のグリルにおいて、カバー板は、バーナカバーに載置される載置板部と、載置板部の横方向外側縁からグリル庫の側壁を覆うようにして上方にのびる側板部とを有している。そして、従来、グリル庫の側壁の前後に、横方向内方に突出する頭付きの係止ピンを設けると共に、カバー板の側板部の前後に、係止ピンの頭部より大径の孔部を下部に有する係止孔を形成し、前後の係止孔を前後の係止ピンに係止することでカバー板を横ずれしないようにグリル庫に装着するものが知られている。然し、後側の係止ピンは、カバー板を装着する際に見えにくく、当該係止ピンに後側の係止孔を位置合わせして係止させることが困難になっている。
【０００３】
そこで、従来、バーナカバーの後部に、上方に隆起する第１隆起部を形成すると共に、カバー板の載置板部の後部に、第１隆起部に係合するように上方に隆起する第２隆起部を形成し、第２隆起部を第１隆起部に係合させることでカバー板の後部の横ずれを防止するようにし、係止ピンと係止孔は、グリル庫の側壁前部とカバー板の側板部前部のみに設けるものも知られている（例えば、特許文献1参照）。
【０００４】
このものでは、カバー板の載置板部をバーナカバー上で後方にずらすことにより、第２隆起部が第１隆起部に係合するため、後側の係止ピンに後側の係止孔を係止させるものに比しカバー板の装着作業が容易になる利点がある。然し、前側の係止ピンに前側の係止孔を位置合わせして係止するには、グリル庫内をのぞき込んで前側の係止ピン及び係止孔の位置を目視確認する必要があり、後側の係止ピンに後側の係止孔を係止する場合ほどではないにしても、作業が面倒になる。
【先行技術文献】
【特許文献】
【０００５】
【特許文献１】特開２０１０−３５６７０号公報
【発明の概要】
【発明が解決しようとする課題】
【０００６】
本発明は、以上の点に鑑み、カバー板の装着作業性を可及的に向上させることができるようにしたグリルを提供することをその課題としている。
【課題を解決するための手段】
【０００７】
上記課題を解決するために、本発明は、前面が開放されたグリル庫と、グリル庫の横側部に配設されたバーナと、バーナを上方から覆うようにグリル庫の側壁から横方向内方に張出すバーナカバーと、グリル庫内にバーナカバーの上面を覆うようにして着脱自在に装着されるカバー板とを備えるグリルであって、カバー板は、バーナカバーに載置される載置板部と、載置板部の横方向外側縁からグリル庫の側壁を覆うようにして上方にのびる側板部とを有し、バーナカバーの後部に、上方に隆起する第１隆起部が形成されると共に、カバー板の載置板部の後部に、第１隆起部に係合するように上方に隆起する第２隆起部が形成されるものにおいて、カバー板の側板部の前縁上部に、前方にのびる舌片部が設けられ、グリル庫の前端部に、舌片部のグリル庫内方を向く内側面に下方から係合する爪部が設けられることを特徴とする。
【０００８】
本発明によれば、舌片部がカバー板の側板部前縁に設けられ、この舌片部に係合する爪部がグリル庫の前端部に設けられるため、グリル庫内をのぞき込まなくても舌片部と爪部の位置を目視確認でき、舌片部に爪部を容易に係合できる。特に、バーナカバー上でカバー板を載置板部の横方向内側縁を支点にして横方向内方に傾倒させて、載置板部と側板部との間の曲げ部をグリル庫の側壁に当接させた状態で、カバー板をその後端がグリル庫の後壁に当接する位置まで押し込んだ後に、載置板部がバーナカバーに載置され、且つ、側板部がグリル庫の側壁に沿う正規姿勢になるようにカバー板を起立させれば、わざわざ位置合わせしなくても、第１隆起部に第２隆起部が係合すると共に、舌片部の内側面に爪部が係合する。そのため、カバー板の装着作業性が可及的に向上する。
【０００９】
また、本発明においては、舌片部の爪部が係合する部分に、内側面側とは反対の外側に窪んだ凹部が形成され、爪部が、舌片部の凹部以外の部分よりも外側に位置して、凹部の内側面に係合するように構成することが望ましい。これによれば、爪部がカバー板の内方に突出せず、調理物を爪部に邪魔されることなくグリル庫にスムーズに出し入れすることができる。
【図面の簡単な説明】
【００１０】
【図１】本発明の実施形態のグリルの切断側面図。
【図２】図１のＩＩ−ＩＩ線で切断した断面図。
【図３】実施形態のグリルのカバー板の装着状態を示す斜視図。
【図４】図１のＩＶ−ＩＶ線で切断した要部の拡大断面図。
【発明を実施するための形態】
【００１１】
図１、図２を参照して、Ａは、図示省略したガスコンロに組み込む本発明の実施形態のグリルを示している。このグリルＡは、コンロ本体（図示せず）内に設置される、前面が開放されたグリル庫１と、グリル庫１の前面開口を開閉するグリル扉２とを備えている。グリル庫１内には、グリル皿３とその上方の焼網４とが収納されている。グリル扉２には、後方にのびるスライド枠２１が連結されており、このスライド枠２１にグリル皿３を支持する皿支持板２２が固定されている。また、皿支持板２２の前後に、焼網４を支持する支持枠２３が立設されている。そして、グリル扉２を前方に開くことで、グリル皿３と焼網４とが一緒にグリル庫１の前方に引き出されるようにしている。
【００１２】
グリル庫１の天井壁１１には、上火バーナ５が設けられている。上火バーナ５は、多数の炎孔（図示省略）を形成したセラミックス製の燃焼板５１を有する表面燃焼式バーナで構成され、燃焼板５１を下向きにした姿勢でグリル庫１の天井壁１１に上火バーナ５を装着している。尚、上火バーナ５には、その後部に設けた混合管５２から混合気が供給される。
【００１３】
グリル庫１の横方向両側の横側部の下部（焼網４よりも低い部分）には、本発明のバーナたる下火バーナ６が配置されている。下火バーナ６は、横方向内方に向けて開口する炎口６１を前後方向の間隔を存して複数有している。また、下火バーナ６には、後部の点火プラグ６２と前部の熱電対６３とが付設されている。
【００１４】
グリルＡは、更に、グリル庫１の後壁１２上部から後方にのびる排気通路１３を備えている。排気通路１３の後部は、コンロ天板の後部の排気口に向けて斜め上方に立ち上がる排気ダクト１３ａで構成されている。排気通路１３の下面には、燃焼排ガス中に含まれる油煙を焼き切るアフターバーナ７が配置されている。アフターバーナ７は、多数の炎孔（図示省略）を形成したセラミックス製の燃焼板７１を有する表面燃焼式バーナで構成され、燃焼板７１を上向きにした姿勢で排気通路１１の下面にアフターバーナ７を装着している。
【００１５】
また、図３も参照して、グリルＡは、下火バーナ６を覆うようにしてグリル庫１の横方向各側の側壁１４から横方向内方に張出すバーナカバー１５と、グリル庫１内にバーナカバー１５の上面を覆うようにして着脱自在に装着されるカバー板１６とを備えている。カバー板１６は、バーナカバー１５に載置される載置板部１６１と、載置板部１６１の横方向外側縁からグリル庫１の側壁１４を覆うようにして上方にのびる側板部１６２とを有している。尚、側板部１６２の上部１６２ａは、横方向内方に傾斜している。
【００１６】
バーナカバー１５の後部には、上方に隆起する第１隆起部１５１が形成されている。カバー板１６の載置板部１６１の後部にも、第１隆起部１５１に係合するように上方に隆起する第２隆起部１６３が形成されている。そして、第１隆起部１５１への第２隆起部１６３の係合により、カバー板１６の後部が横方向内方にずれることを防止できるようにしている。
【００１７】
また、カバー板１６の側板部１６２の前縁上部に、前方にのびる舌片部１６４が設けられている。更に、グリル庫１の前端部に、舌片部１６４のグリル庫１内方を向く内側面に下方から係合する爪部１７が設けられている。そして、舌片部１６４の内側面に爪部１７を係合させることで、カバー板１６の前部が横方向内方にずれることを防止できるようにしている。尚、本実施形態では、図３に明示されているように、グリル庫１の前面開口を囲うグリル庫１の前面枠１８に爪部１７を曲成しているが、グリル庫１の側壁１４前端部に爪部１７を取付けてもよい。
【００１８】
以上の構成によれば、舌片部１６４がカバー板１６の側板部１６２前縁に設けられ、この舌片部１６４に係合する爪部１７がグリル庫１の前端部に設けられるため、グリル庫１内をのぞき込まなくても舌片部１６４と爪部１７の位置を目視確認でき、舌片部１６４に爪部１７を容易に係合できる。特に、バーナカバー１５上でカバー板１６を載置板部１６１の横方向内側縁を支点にして横方向内方に傾倒させて、載置板部１６１と側板部１６２との間の曲げ部をグリル庫１の側壁１４に当接させた状態（図４の２点鎖線示の状態）で、カバー板１６をその後端がグリル庫１の後壁１２に当接する位置まで押し込んだ後に、載置板部１６１がバーナカバー１５に載置され、且つ、側板部１６２がグリル庫１の側壁１４に沿う正規姿勢（図４の実線示の姿勢）になるようにカバー板１６を起立させれば、わざわざ位置合わせしなくても、第１隆起部１５１に第２隆起部１６３が係合すると共に、舌片部１６４の内側面に爪部１７が係合する。そのため、カバー板１６の装着作業性が可及的に向上する。
【００１９】
また、本実施形態では、舌片部１６４の爪部１７が係合する部分に、内側面側とは反対の外側に窪んだ凹部１６４ａを形成している。そして、爪部１７が、舌片部１６４の凹部１６４ａ以外の部分よりも外側に位置して、凹部１６４ａの内側面に係合するようにしている。これによれば、爪部１７がカバー板１６の内方に突出せず、調理物を爪部１７に邪魔されることなくグリル庫１にスムーズに出し入れすることができる。
【００２０】
以上、本発明の実施形態について図面を参照して説明したが、本発明はこれに限定されない。例えば、上記実施形態のグリルＡは、上火バーナ５、アフターバーナ７を備えるが、上火バーナやアフターバーナの無いグリルや、グリル庫１の横方向片側の横側部のみにバーナを備えるグリルにも同様に本発明を適用できる。また、上記実施形態は、ガスコンロに組み込むグリルに本発明を適用したものであるが、ガスコンロに組み込まずに独立して設けられるグリルにも同様に本発明を適用できる。
【符号の説明】
【００２１】
Ａ…グリル、１…グリル庫、１４…側壁、１５…バーナカバー、１５１…第１隆起部、１６…カバー板、１６１…載置板部、１６２…側板部、１６３…第２隆起部、１６４…舌片部、１６４ａ…凹部、６…下火バーナ（バーナ）。
【図１】
2020188851.tif 000003
【図２】
2020188851.tif 000004
【図３】
2020188851.tif 000005
【図４】
2020188851.tif 000006